(57)【要約】      （修正有）【課題】デバイスによるマルチトーン信号の使用へ重大な負のインパクトを与えることなく、少なくとも幾つかの状況のもとでは、無線通信デバイスによる非線形増幅の使用を許す方法及び／又は装置を提供する。【解決手段】無線通信デバイスは、第１の時間に単一のトーンを使用して送信し、第２の時間に複数のトーンを使用して送信する。無線通信デバイスは、マルチトーン信号を送信するため線形電力増幅を使用し、少なくとも幾つかのシングルトーン信号を送信するため非線形電力増幅を使用する。幾つかの実施形態において、第１の増幅器の特性曲線における線形増幅範囲が線形増幅に使用され、第１の増幅器の特性曲線における非線形増幅範囲が非線形増幅に使用される。【選択図】図２
2014064288.tif 000002
【特許請求の範囲】
【請求項１】
通信デバイスを作動する方法であって、
マルチトーン信号に対して線形増幅動作を遂行することと、
前記増幅されたマルチトーン信号を送信することと、
シングルトーン信号に対して非線形増幅動作を遂行することと、
前記増幅されたシングルトーン信号を送信することと、
を備える方法。
【請求項２】
前記増幅されたシングルトーン信号は、前記マルチトーン信号よりも大きい送信電力を使用して送信される、請求項１に記載の方法。
【請求項３】
線形増幅動作を遂行することは、第１の増幅器の線形増幅領域を使用して前記マルチトーン信号を増幅することを含む、請求項１に記載の方法。
【請求項４】
非線形増幅動作を遂行することは、非線形増幅器である第２の増幅器を使用して前記シングルトーン信号を増幅することを含む、請求項３に記載の方法。
【請求項５】
非線形増幅動作を遂行することは、前記第１の増幅器の非線形増幅領域を使用して前記シングルトーン信号を増幅することを含む、請求項３に記載の方法。
【請求項６】
前記マルチトーン信号は第１の周波数帯域を占拠し、前記シングルトーン信号は前記第１の周波数帯域の内部に位置決めされる、請求項５に記載の方法。
【請求項７】
前記線形増幅動作を遂行すること及び前記増幅されたマルチトーン信号を送信することは、マルチトーン動作モード中に遂行され、
前記非線形増幅動作を遂行すること及び前記増幅されたシングルトーン信号を送信することは、シングルトーン動作モード中に遂行される、
請求項１に記載の方法。
【請求項８】
前記マルチトーン動作モード及び前記シングルトーン動作モードは、重複しない異なる期間に対応し、
送信されるべき情報のタイプの関数として、前記マルチトーン動作モードから前記シングルトーン動作モードへ転換することを更に備える、
請求項７に記載の方法。
【請求項９】
前記シングルトーン動作モードは、ピア発見情報を送信するために使用され、前記マルチトーン動作モードは、トラフィックデータを送信するために使用される、請求項８に記載の方法。
【請求項１０】
マルチトーン信号に対して線形増幅動作を遂行する手段と、
前記増幅されたマルチトーン信号を送信する手段と、
シングルトーン信号に対して非線形増幅動作を遂行する手段と、
前記増幅されたシングルトーン信号を送信する手段と、
を備える通信デバイス。
【請求項１１】
前記増幅されたシングルトーン信号を送信する前記手段は、前記マルチトーン信号を送信する前記手段が、前記増幅されたマルチトーン信号を送信するときに使用するよりも大きい送信電力を使用して、前記増幅されたシングルトーン信号を送信する、請求項１０に記載の通信デバイス。
【請求項１２】
線形増幅動作を遂行する前記手段は、第１の増幅器の線形増幅領域を使用して前記マルチトーン信号を増幅する手段を含む、請求項１０に記載の通信デバイス。
【請求項１３】
非線形増幅動作を遂行する前記手段は、非線形増幅器である第２の増幅器を使用して前記シングルトーン信号を増幅する手段を含む、請求項１２に記載の通信デバイス。
【請求項１４】
非線形増幅動作を遂行する前記手段は、前記第１の増幅器の非線形増幅領域を使用して前記シングルトーン信号を増幅する手段を含む、請求項１２に記載の通信デバイス。
【請求項１５】
通信デバイスで使用するためのコンピュータ・プログラム・プロダクトであって、
コンピュータ読み取り可能媒体を備え、前記コンピュータ読み取り可能媒体は、
少なくとも１つのコンピュータにマルチトーン信号に対して線形増幅動作を遂行させるためのコードと、
前記少なくとも１つのコンピュータに前記増幅されたマルチトーン信号を送信させるためのコードと、
前記少なくとも１つのコンピュータにシングルトーン信号に対して非線形増幅動作を遂行させるためのコードと、
前記少なくとも１つのコンピュータに前記増幅されたシングルトーン信号を送信させるためのコードと、
を備えるコンピュータ・プログラム・プロダクト。
【請求項１６】
通信デバイスであって、
マルチトーン信号に対して線形増幅動作を遂行する、
前記増幅されたマルチトーン信号を送信する、
シングルトーン信号に対して非線形増幅動作を遂行する、
前記増幅されたシングルトーン信号を送信する、ように構成された少なくとも１つのプロセッサと、
前記少なくとも１つのプロセッサに結合されたメモリと
を備える通信デバイス。
【請求項１７】
前記少なくとも１つのプロセッサは、前記マルチトーン信号よりも大きい送信電力を使用して、前記増幅されたシングルトーン信号を送信するように構成されている、請求項１６に記載の通信デバイス。
【請求項１８】
前記少なくとも１つのプロセッサは、線形増幅動作を遂行するように構成されていることの一部分として、第１の増幅器の線形増幅領域を使用して前記マルチトーン信号を増幅するように構成されている、請求項１６に記載の通信デバイス。
【請求項１９】
前記少なくとも１つのプロセッサは、非線形増幅動作を遂行するように構成されていることの一部分として、非線形増幅器である第２の増幅器を使用して前記シングルトーン信号を増幅するように構成されている、請求項１８に記載の通信デバイス。
【請求項２０】
前記少なくとも１つのプロセッサは、非線形増幅動作を遂行するように構成されていることの一部分として、前記第１の増幅器の非線形増幅領域を使用して前記シングルトーン信号を増幅するように構成されている、請求項１８に記載の通信デバイス。
【発明の詳細な説明】
【技術分野】
【０００１】
様々な実施形態は、無線通信に関し、更に具体的には、送信前に、例えば非線形増幅を使用して信号を増幅するために使用され得る方法及び装置に関する。
【背景技術】
【０００２】
無線通信において、例えば、データの量、データのタイプ、距離範囲、意図される受信者、許容され得るビット誤り率などに関して、異なる時間には無線デバイスへの異なるデータ送信の必要性が存在してもよい。加えて、例えば、通信チャネルのタイプ、データのタイプ，現在の通信路条件、及び／又は干渉条件の関数として、異なる時間では、所望される送信電力レベルが異なってもよい。幾つかの無線通信システムでは、データ送信の必要性及び／又は所望される送信電力レベルの関数として、送信信号特性が変動する。例えば、或る時間には、マルチトーン信号が生成及び送信され、他の時間には、シングルトーン信号が生成及び送信されてもよい。
【０００３】
一般的に、通信システムでは線形増幅器を使用することが望ましい。というのは、線形増幅器は、欲せられない調波を、増幅されつつある信号の中へ導入することがないからである。マルチトーン信号の場合、このような調波を除去することが特に困難であり得る。というのは、信号に対する非線形増幅器の使用の効果を除去する試みは、しばしば、増幅されつつある信号の中に維持されるべきトーンの１つ又は複数に負のインパクトを与え得るからである。
【０００４】
消費者市場へ意図される無線通信デバイス、例えば、携帯電話及び他の移動デバイスの場合、コスト及び電力消費の問題が関心事となる。広い電力範囲にわたって線形である増幅器は、高価になる傾向がある。特に、単一の周波数ではなく或る範囲の周波数について増幅器を線形に設計するならば、高価になる傾向がある。従って、広範囲の電力出力がサポートされるべき場合、線形増幅器の使用は、多くの応用においてコスト的に許容され得ない。コストの問題に加えて、非線形増幅は線形増幅の手法よりも電力効率の利点を有し、このことは、電力効率が関心事であるデバイス、例えばハンド・ヘルド・デバイスで、非線形増幅の使用を望ましくし得る。
【０００５】
幾つかの状況では、非線形電力増幅の使用が有利になり得るが、非線形電力増幅は、マルチトーン信号の非線形増幅に関連する干渉問題に起因して、マルチトーン信号の送信に十分適しているとは言えない。こうして、コスト問題があるにも拘わらず、マルチトーン信号の使用をサポートするように実現された多くの無線通信デバイスは、自分の送信前電力増幅動作では線形電力増幅器を使用する。
【０００６】
上記の検討に基づき、デバイス動作の少なくとも幾つかの期間の間、デバイスによるマルチトーン信号の使用へ重大な負のインパクトを与えることなく、少なくとも幾つかの状況のもとでは、無線通信デバイスによる非線形増幅の使用を許す方法及び／又は装置の必要性が存在する。
【発明の概要】
【０００７】
無線通信システムにおける増幅及び信号の送信に関連した方法及び装置が説明される。説明される様々な方法及び装置は、無線通信デバイスが、異なる数のトーン及び／又は電力レベルを使用して、異なる時間に送信する実現に十分適している。例えば、デバイスは第１の期間に単一のトーンを使用して送信し、第２の期間に複数のトーンを使用して送信してもよい。幾つかの実施形態において、無線通信デバイスは線形電力増幅を使用してマルチトーン信号を送信し、非線形電力増幅を使用して少なくとも幾つかのシングルトーン信号を送信する。幾つかの実施形態において、異なる物理的増幅器が通信デバイスの中に含められ、異なるタイプの増幅に使用される。例えば、全部ではないが幾つかの実施形態において、マルチトーン信号を増幅するため、線形増幅器である第１の増幅器が設けられ、シングルトーン信号を増幅するため、非線形増幅器である第２の増幅器が設けられる。しかしながら、他の実施形態では、異なる時間に線形及び非線形増幅動作を遂行するため、単一の増幅器が使用され、例えば、異なる時間に異なる電力レベルを使用して信号が送信される。
【０００８】
幾つかの実施形態において、第１の増幅器の特性曲線上の線形増幅範囲が、線形増幅のために使用され、前記第１の増幅器の特性曲線上の非線形増幅範囲が、非線形増幅のために使用される。増幅に続くフィルタリングは、使用されつつある増幅のタイプに適応するように制御される。幾つかの実施形態において、高い電力レベルでシングルトーンを使用して送信される信号を増幅するため、非線形範囲が使用される。この高い電力レベルは、増幅器の線形電力範囲を使用して増幅されるマルチトーン信号を送信するために使用される電力レベルよりも高い。
【０００９】
例示的な一実施形態において、シングルトーン信号はＯＦＤＭトーン又は副搬送波に対応し、非線形増幅の出力は方形波である。非線形増幅によって産出される信号に対する後続のフィルタリングは、シングルトーンを通過させ、より高い順位の調波を除去するために使用される。少なくとも一実施形態において、マルチトーン信号が送信されるとき、線形増幅を使用してマルチトーン信号が増幅される。幾つかのこのような実施形態において、マルチトーン信号は通信帯域内の複数のトーンに対応し、線形増幅動作によって生成される増幅信号を濾過するために使用される後続のフィルタは、マルチトーン信号に対応するトーンの全帯域を通過させる。非線形増幅に続いて使用されるフィルタは、マルチトーン信号によって占拠される周波数帯域内の１つ又は複数のトーンを阻止してもよく、幾つかの実施形態では、実際に阻止する。シングルトーン信号は、マルチトーン信号に対応する周波数帯域の内部に収まることができ、幾つかの実施形態では、実際に収まる。必ずしも全部ではないが幾つかの実施形態において、制御可能なフィルタがデバイス内で使用されてもよく、このフィルタは、デバイスがシングルトーン動作モードで動作しているかマルチトーン動作モードで動作しているかに基づいて、フィルタリングモードを転換する。
【００１０】
幾つかの例示的実施形態において、例示的無線通信デバイスは、非集中化制御及び意思決定を実現するピアツーピア通信システムの一部分である。幾つかのこのような実施形態において、通信デバイスは、シングルトーン送信が使用される第１のタイプの区間、例えばピア発見区間、及びマルチトーンシグナリングが使用される第２のタイプの区間、例えばトラフィック区間を含む再発ピアツーピア・タイミング構造を実現する。
【００１１】
幾つかの実施形態において、線形増幅を使用するか非線形増幅を使用するかの意思決定は、意図される送信信号がシングルトーン信号であるべきかマルチトーン信号であるべきかの関数である。幾つかの実施形態において、線形増幅を使用すべきか非線形増幅を使用すべきかの意思決定は、（ｉ）意図される送信信号がシングルトーン信号であるべきかマルチトーン信号であるべきか、及び（ｉｉ）意図される距離範囲、の関数である。このような実施形態において、幾つかのシングルトーン信号、例えば、第１の通信距離範囲に意図される信号は、線形増幅を使用して増幅されてもよく、第１の距離範囲よりも長い第２の距離範囲に意図される信号は、非線形増幅を使用して増幅されてもよい。
【００１２】
通信デバイスを作動する例示的方法は、マルチトーン信号に対して線形増幅動作を遂行することと、増幅されたマルチトーン信号を送信することと、シングルトーン信号に対して非線形増幅動作を遂行することと、増幅されたシングルトーン信号を送信することと、を備える。例示的実施形態に従った例示的通信デバイスは、少なくとも１つのプロセッサを備え、このプロセッサは、マルチトーン信号に対して線形増幅動作を遂行し、増幅されたマルチトーン信号を送信し、シングルトーン信号に対して非線形増幅動作を遂行し、増幅されたシングルトーン信号を送信するように構成される。例示的通信デバイスは、前記少なくとも１つのプロセッサへ結合されたメモリを更に備える。
【００１３】
上記の概要の中で様々な実施形態が検討されたが、必ずしも全ての実施形態が同じ特徴を含むわけではなく、上記で説明された特徴の幾つかは必要とされないが、幾つかの実施形態では望ましくあり得ることを了解すべきである。多くの追加的特徴、実施形態、及び様々な実施形態の利点は、この後の詳細な説明の中で検討される。
【図面の簡単な説明】
【００１４】
【図１】図１は、例示的実施形態に従った例示的無線通信システムの図である。
【図２】図２は、例示的実施形態に従って通信デバイスを作動する例示的方法のフローチャートである。
【図３】図３は、例示的実施形態に従った例示的通信デバイスの図である。
【図４】図４は、図３で示される通信デバイスの中で使用され得る、及び幾つかの実施形態では実際に使用される、モジュールの組立体である。
【図５】図５は、例示的実施形態に従った例示的通信デバイスの図である。
【図６】図６は、幾つかの例示的実施形態に従った２つの他の例示的通信デバイスを示す図である。
【図７】図７は、例示的実施形態に従った例示的再発ピアツーピア・タイミング構造及び無線通信デバイスによって送信される例示的信号を示す図である。
【図８】図８は、幾つかの実施形態に従った無線通信デバイスの中に含まれる例示的コンポーネントを示す図である。
【図９】図９は、幾つかの実施形態に従った無線通信デバイスの中に含まれる例示的コンポーネントを示す図である。
【詳細な説明】
【００１５】
図１は、例示的実施形態に従った例示的無線通信システム１００の図である。例示的無線通信システム１００は、例えば、再発ピアツーピア・タイミング構造を使用するピアツーピア通信システムである。例示的無線通信システム１００は、ピアツーピア・シグナリングをサポートする複数の無線通信デバイス（無線通信デバイス１  １０２、無線通信デバイス２  １０４、無線通信デバイス３  １０６、無線通信デバイス４  １０８、無線通信デバイス５  １１０、．．．、無線通信デバイスＮ  １１２）を含む。無線通信デバイスの少なくとも幾つかは、移動通信デバイス、例えばデバイス（１０２、１０４、１０６、１１０、１１２）である。無線通信デバイスの幾つか、例えばデバイス４  １０８は、逆送ネットワークへの接続１１４を含む。接続１１４は、デバイスを他のネットワークノード及び／又はインターネットへ結合する。
【００１６】
様々な実施形態において、例示的通信システム１００は、非集中化制御構造実現を用いて動作する。例えば、個々のデバイスに対するエア・リンク・リソース割り振りの意思決定は、個々のデバイスで利用可能な情報に基づき個々のデバイスによって行われる。幾つかのこのような実施形態において、デバイスは、例えば、通信されるべき情報のタイプの関数として、及び／又はタイミング構造内の区間タイプの関数として、異なる時間に異なる送信動作モードで送信する。例えば、デバイスはピア発見シグナリングを送信するとき高電力レベルのシングルトーンで送信してもよく、例えば、広い距離範囲の多くのデバイスによる受信を意図される比較的少量の情報をブロードキャストする。例を続けると、デバイスは、ピアツーピア・トラフィック・シグナリングを送信するとき、より低い電力レベルの複数トーンの集合で送信する。例えば、デバイスは、自分とのピアツーピア接続を確立した個々のピアデバイスへ、より大きい量のトラフィックデータ情報を直接通信する。
【００１７】
幾つかの実施形態において、マルチトーンモードで送信するとき、通信デバイスは第１の増幅器の線形増幅領域を使用し、シングルトーンモードで送信するとき、通信デバイスは第１の増幅器の非線形増幅領域を使用する。幾つかの実施形態において、マルチトーンモードで送信するとき、通信デバイスは線形増幅器を使用し、シングルトーンモードで送信するとき、通信デバイスは非線形増幅器を使用する。幾つかの実施形態において、マルチトーンモードで送信するとき、通信デバイスは線形増幅を使用し、シングルトーンモードの長距離範囲サブモードで送信するとき、通信デバイスは非線形増幅を使用し、シングルトーンモードの短距離範囲サブモードで送信するとき、通信デバイスは線形増幅を使用する。
【００１８】
図２は、例示的実施形態に従って通信デバイスを作動する例示的方法のフローチャート２００である。動作はステップ２０２でスタートする。ステップ２０２において、通信デバイスは電源オン及び初期化され、ステップ２０４へ進行する。ステップ２０４において、通信デバイスは、送信されるべき情報のタイプを決定し、次いでステップ２０６において、通信デバイスは、送信されるべき情報の決定されたタイプの関数として、使用されるべき動作モードを決定する。動作はステップ２０６からステップ２０８へ進行する。ステップ２０８において、決定された動作モードがシングルトーンモードであれば、動作はステップ２０８からステップ２１０へ進行する。しかしながら、決定された動作モードがマルチトーンモードであれは、動作はステップ２０８からステップ２３０へ進行する。
【００１９】
ステップ２１０へ戻ると、ステップ２１０において、通信デバイスはシングルトーン信号を生成する。次いで、ステップ２１２において、通信デバイスは、生成されたシングルトーン信号に対して非線形増幅動作を遂行する。動作はステップ２１２からステップ２１４へ進行する。ステップ２１４において、通信デバイスは、増幅されたシングルトーン信号を送信する。動作はステップ２１４からステップ２１６へ進行する。ステップ２１６において、通信デバイスは、送信されるべき情報のタイプを決定する。次いで、ステップ２１８において、通信デバイスは、ステップ２１６の決定に基づき、送信されるべき情報のタイプの関数として、シングルトーン動作モードからマルチトーン動作モードへ転換すべきか否かを決定する。ステップ２１８はサブステップ２２０及び２２４を含む。ステップ２１８への各反復では、サブステップ２２０及び２２４の１つが遂行される。サブステップ２２０において、通信デバイスは、送信されるべき情報のタイプの関数として、シングルトーンモードからマルチトーンモードへ転換することを決定する。動作はサブステップ２２０からステップ２２４へ進行する。ステップ２２４において、通信デバイスは、送信されるべき情報のタイプの関数として、シングルトーン動作モードからマルチトーン動作モードへ転換する。動作はステップ２２４から接続ノードＡ  ２２６を介してステップ２３０へ進行する。
【００２０】
サブステップ２２２へ戻ると、サブステップ２２２において、通信デバイスは、送信されるべき情報のタイプの関数として、シングルトーンモードに留まることを決定する。動作はサブステップ２２２から接続ノードＢ  ２２８を介してステップ２１０へ進行する。
【００２１】
ステップ２３０へ戻ると、ステップ２３０において、通信デバイスはマルチトーン信号を生成する。動作はステップ２３０からステップ２３２へ進行する。ステップ２３２において、通信デバイスは、生成されたマルチトーン信号に対して線形増幅動作を遂行する。幾つかの実施形態において、線形増幅動作を遂行することは、第１の増幅器の線形増幅領域を使用してマルチトーン信号を増幅することを含む。
【００２２】
次いで、ステップ２３４において、通信デバイスは、増幅されたマルチトーン信号を送信する。動作はステップ２３４からステップ２３６へ進行する。ステップ２３６において、通信デバイスは、送信されるべき情報のタイプを決定する。次いで、ステップ２３８において、通信デバイスは、送信されるべき情報のタイプの関数として、マルチトーン動作モードからシングルトーン動作モードへ転換すべきか否かを決定する。ステップ２３８はサブステップ２４０及び２４２を含む。ステップ２３８への各反復では、サブステップ２４０及び２４２の１つが遂行される。サブステップ２４０において、通信デバイスは、送信されるべき情報のタイプの関数として、マルチトーンモードからシングルトーンモードへ転換することを決定する。動作はサブステップ２４０からステップ２４４へ進行する。ステップ２４４において、通信デバイスは、送信されるべき情報のタイプの関数として、マルチトーン動作モードからシングルトーン動作モードへ転換する。動作はステップ２４４から接続ノードＢ  ２２８を介してステップ２１０へ進行する。
【００２３】
サブステップ２４２へ戻ると、サブステップ２４２において、通信デバイスは、送信されるべき情報のタイプの関数として、マルチトーンモードに留まることを決定する。動作はサブステップ２４２から接続ノードＡ  ２２６を介してステップ２３０へ進行する。
【００２４】
幾つかの実施形態において、増幅され送信されるシングルトーン信号のトーン当たり電力は、増幅され送信されるマルチトーン信号のどのトーンのトーン当たり電力をも超過する。様々な実施形態において、増幅されたシングルトーン信号は、マルチトーン信号よりも大きい送信電力を使用して送信される。
【００２５】
幾つかの実施形態において、非線形増幅を遂行することは、非線形増幅器である第２の増幅器を使用して前記マルチトーン信号を増幅することを含む。幾つかの他の実施形態において、非線形増幅動作を遂行することは、第１の増幅器の非線形増幅領域を使用して前記シングルトーン信号を増幅することを含む。
【００２６】
様々な実施形態において、マルチトーン信号は第１の周波数帯域を占拠し、信号トーン信号は第１の周波数帯域の内部に位置決めされる。幾つかの実施形態において、マルチトーン及びシングルトーン動作モードは、重複しない異なる期間に対応する。幾つかのこのような実施形態において、ピア発見情報を送信するためにシングルトーン動作モードが使用され、トラフィックデータを送信するためにマルチトーン動作モードが使用される。
【００２７】
図３は、例示的実施形態に従った例示的通信デバイス３００の図である。例示的通信デバイス３００は、例えば図１の無線通信デバイスの１つである。例示的通信デバイス３００は、図２のフローチャート２００に従った方法を実現してもよく、時には実際に実現する。
【００２８】
通信デバイス３００は、バス３０９を介して相互に結合されたプロセッサ３０２及びメモリ３０４を含む。様々な要素（３０２、３０４）は、バス３０９を介してデータ及び情報を相互に交換してもよい。通信デバイス３００は、図示されるようにプロセッサ３０２へ結合されてもよい入力モジュール３０６及び出力モジュール３０８を更に含む。しかしながら、幾つかの実施形態において、入力モジュール３０６及び出力モジュール３０８は、プロセッサ３０２の内部に置かれる。入力モジュール３０６は入力信号を受信し得る。入力モジュール３０６は、無線受信機及び／又は入力を受信するための有線又は光入力インタフェースを含むことができ、幾つかの実施形態では、実際に含む。出力モジュール３０８は、無線送信機及び／又は出力を送信するための有線又は光出力インタフェースを含んでもよく、幾つかの実施形態では、実際に含む。
【００２９】
プロセッサ３０２は、マルチトーン信号に対して線形増幅動作を遂行し、増幅されたマルチトーン信号を送信し、シングルトーン信号に対して非線形増幅動作を遂行し、増幅されたシングルトーン信号を送信するように構成される。幾つかの実施形態において、増幅され送信されるシングルトーン信号のトーン当たり電力は、前記増幅され送信されるマルチトーン信号のどのトーンのトーン当たり電力をも超過する。様々な実施形態において、プロセッサ３０２は、前記マルチトーン信号よりも多くの送信電力を使用して、前記増幅されたシングルトーン信号を送信するように構成される。
【００３０】
幾つかの実施形態において、プロセッサ３０２は、線形増幅動作を遂行するように構成されることの一部分として、第１の増幅器の線形増幅領域を使用して前記マルチトーン信号を増幅するように構成される。幾つかの実施形態において、プロセッサ３０２は、非線形増幅動作を遂行するように構成されることの一部分として、非線形増幅器である第２の増幅器を使用して前記シングルトーン信号を増幅するように構成される。幾つかの他の実施形態において、プロセッサ３０２は、非線形増幅動作を遂行するように構成されることの一部分として、前記第１の増幅器の非線形増幅領域を使用して前記シングルトーン信号を増幅するように構成される。幾つかの実施形態において、前記マルチトーン信号は第１の周波数帯域を占拠し、シングルトーン信号は前記第１の周波数帯域の内部に位置決めされる。
【００３１】
様々な実施形態において、プロセッサ３０２は、線形増幅動作を遂行し、マルチトーン動作モード中に、増幅されたマルチトーン信号を送信するように構成される。更に、プロセッサ３０２は、非線形増幅動作を遂行し、シングルトーン動作モード中に、増幅されたシングルトーン信号を送信するように構成される。幾つかのこのような実施形態において、前記マルチトーン及びシングルトーン動作モードは、重複しない異なる期間に対応する。プロセッサ３０２は、送信されるべき情報のタイプの関数として、マルチトーン動作モードからシングルトーン動作モードへ転換するように更に構成される。幾つかの実施形態において、プロセッサ３０２は、ピア発見情報を送信するため前記シングルトーン動作モードを使用するように構成される。プロセッサ３０２は、トラフィックデータを送信するため前記マルチトーン動作モードを使用するように構成される。
【００３２】
図４は、図３で示される通信デバイス３００の中で使用され得る、及び幾つかの実施形態では実際に使用される、モジュールのアセンブリ４００である。組立体４００の中のモジュールは、図３のプロセッサ３０２の内部のハードウェア（ｈａｒｄｗａｒｅ）として、例えば個々の回路として、実現され得る。代替として、モジュールは、ソフトウェアとして実現されてもよく、図３で示される通信デバイス３００のメモリ３０４の中に記憶されてもよい。図３の実施形態では、プロセッサ３０２は、単一のプロセッサ、例えばコンピュータとして示されるが、１つ又は複数のプロセッサ、例えばコンピュータとして、実現されてもよいことを了解すべきである。ソフトウェアとして実現されるとき、モジュールはコードを含む。コードは、プロセッサによって実行されるとき、モジュールに対応する機能を実現するようにプロセッサ３０２、例えばコンピュータを構成する。幾つかの実施形態において、プロセッサ３０２は、モジュールのアセンブリ４００の各モジュールを実現するように構成される。モジュールのアセンブリ４００がメモリ３０４の中に記憶される実施形態において、メモリ３０４はコンピュータ・プログラム・プロダクトである。コンピュータ・プログラム・プロダクトはコンピュータ読み取り可能媒体を備え、コンピュータ読み取り可能媒体は、コード、例えば各モジュールについてのコードを備え、少なくとも１つのコンピュータ、例えばプロセッサ３０２が、モジュールに対応する機能を実現することを引き起こす。
【００３３】
完全にハードウェアベースのモジュール又は完全にソフトウェアベースのモジュールが使用されてもよい。しかしながら、機能を実現するため、ソフトウェアとハードウェアとを組み合わせた（例えば、回路実現）モジュールが使用されてもよいことを了解すべきである。了解すべきように、図４で示されるモジュールは、通信デバイス３００又はこの中の要素、例えばプロセッサ３０２を制御及び／又は構成して、図２の方法フローチャート２００の中に示された対応するステップの機能を遂行する。
【００３４】
モジュールのアセンブリ４００は、送信されるべき情報のタイプを決定するモジュール４０４、送信されるべき情報のタイプの関数として、使用されるべき動作モードを決定するモジュール４０６、決定された動作モードに基づき動作を制御するモジュール４０８を含む。モジュールのアセンブリ４００は、シングルトーン信号を生成するモジュール４１０、生成されたシングルトーン信号に対して非線形増幅動作を遂行するモジュール４１２、増幅されたシングルトーン信号を送信するモジュール４１４、送信されるべき情報のタイプの関数として、シングルトーン動作モードからマルチトーン動作モードへ転換すべきか否かを決定するモジュール４１８、及び送信されるべき情報のタイプの関数として、シングルトーン動作モードからマルチトーン動作モードへ転換するモジュール４２４を更に含む。モジュール４１８は、送信されるべき情報のタイプの関数として、シングルトーンモジュールからマルチトーンモードへ転換することを決定するモジュール４２０、及び送信されるべき情報のタイプの関数として、シングルトーンモードに留まることを決定するモジュール４２２を含む。
【００３５】
モジュールのアセンブリ４００は、マルチトーン信号を生成するモジュール４３０、生成されたマルチトーン信号に対して線形増幅動作を遂行するモジュール４３２、増幅されたマルチトーン信号を送信するモジュール４３４、送信されるべき情報のタイプの関数として、マルチトーン動作モードからシングルトーン動作モードへ転換すべきか否かを決定するモジュール４３８、及び送信されるべき情報のタイプの関数として、マルチトーン動作モードからシングルトーン動作モードへ転換するモジュール４４４を更に含む。モジュール４３８は、送信されるべき情報のタイプの関数として、マルチトーンモードからシングルトーンモードへ転換することを決定するモジュール４４０、及び送信されるべき情報のタイプの関数として、マルチトーンモードに留まることを決定するモジュール４４２を含む。
【００３６】
幾つかの実施形態において、増幅され送信されるシングルトーン信号のトーン当たり電力は、増幅され送信されるマルチトーン信号のどのトーンのトーン当たり電力をも超過する。様々な実施形態において、モジュール４１４は、増幅されたマルチトーン信号をモジュール４３４が送信するときに使用する送信電力よりも大きい送信電力を使用して、増幅されたシングルトーン信号を送信する。
【００３７】
幾つかの実施形態において、モジュール４３２は、第１の増幅器の線形増幅領域を使用して前記生成されたマルチトーン信号を増幅するモジュール４５０を含む。様々な実施形態において、モジュール４１２は、非線形増幅器である第２の増幅器を使用して前記生成されたシングルトーン信号を増幅するモジュール４５２、及び前記第１の増幅器の非線形増幅領域を使用して前記生成されたシングルトーン信号を増幅するモジュール４５４、の１つ又は複数を含む。
【００３８】
様々な実施形態において、マルチトーン信号は第１の周波数帯域を占拠し、シングルトーン信号は、前記第１の周波数帯域の内部に位置決めされる。幾つかの実施形態において、線形増幅動作を遂行するモジュール４３２及び増幅されたマルチトーン信号を送信するモジュール４３４は、マルチトーン動作モード中に作動され、非線形増幅動作モードを遂行するモジュール４１２及び増幅されたシングルトーン信号を送信するモジュール４１４は、例えばモジュール４０８の制御のもとで、シングルトーン動作モード中に作動される。幾つかの例示的実施形態において、シングルトーン動作モードはピア発見情報を送信するために使用され、マルチトーン動作モードはトラフィックデータを送信するために使用される。
【００３９】
図５は、例示的実施形態に従った例示的通信デバイス５００の図である。例示的通信デバイス５００は、フィルタモジュール５０６へ結合された線形電力増幅器５０２を含む。フィルタモジュール５０６は送信アンテナ５１０へ結合される。例示的通信デバイス５００は、フィルタモジュール５０８へ結合された非線形電力増幅器５０４を更に含む。フィルタモジュール５０８は送信アンテナ５１０へ結合される。生成されたマルチトーン信号５１２が送信されるとき、通信デバイス５００は線形電力増幅器５０２及びフィルタモジュール５０６を使用して出力信号５１６を生成する。しかしながら、生成されたシングルトーン信号５１４が送信されるとき、通信デバイス５００は非線形電力増幅器５０４及びフィルタモジュール５０８を使用して出力信号５１６を生成する。一実施形態において、通信デバイス５００は図３の通信デバイス３００であり、図５の線形電力増幅器５０２は図４のモジュールのアセンブリ４００のモジュール４５０であり、図５の非線形電力増幅器５０４は図４のモジュールのアセンブリ４００のモジュール４５２である。
【００４０】
図６は、幾つかの例示的実施形態に従った２つの他の例示的通信デバイスを示す図である。通信デバイス６００は、フィルタモジュール６０４へ結合された電力増幅器６０２を含み、フィルタモジュール６０４は送信アンテナ６０６へ結合されている。マルチトーン信号又はシングルトーン信号であってもよい入力信号６０８は、電力増幅器６０２によって増幅され、フィルタモジュール６０４によって濾過され、次いで送信アンテナ６０６を介してエア上を出力信号６１４として送信される。制御信号６１０は、生成された入力信号６０８がマルチトーン信号であるとき、線形領域で動作するように電力増幅器６０２を制御する。制御信号６１２は、生成された入力信号６０８がシングルトーン信号であるとき、非線形領域で動作するように電力増幅器６０２を制御する。フィルタモジュール６０４は、（ｉ）シングルトーンモード信号が送信されるか、マルチトーンモード信号が送信されるか、（ｉｉ）線形増幅が使用されつつあるか、非線形増幅が使用されつつあるか、（ｉｉｉ）使用されつつあるトーン（１つ又は複数）、の少なくとも１つの関数として更に制御及び／又は構成される。１つの例示的実施形態において、通信デバイス５００は図３の通信デバイス３００であり、電力増幅器６０２は、モジュールのアセンブリ４００のモジュール４５０及びモジュール４５４の第１の増幅器である。
【００４１】
通信デバイス６５０は、フィルタモジュール６５４へ結合された電力増幅器６５２を含み、フィルタモジュール６５４は送信アンテナ６５６へ結合されている。マルチトーン信号又はシングルトーン信号であってもよい入力信号６５８は、電力増幅器６５２によって増幅され、フィルタモジュール６５４によって濾過され、次いで送信アンテナ６５６を介してエア上を出力信号６６４として送信される。制御信号６６０は、生成された入力信号６５８がマルチトーン信号であるとき、線形領域で動作するように電力増幅器６５２を制御する。制御信号６６２は、生成された入力信号６５８がシングルトーン信号であり、長距離範囲出力信号の送信が望まれるとき、非線形領域で動作するように電力増幅器６５２を制御する。制御信号６６３は、生成された入力信号６５８がシングルトーン信号であり、短距離範囲出力信号の送信が望まれるとき、線形領域で動作するように電力増幅器６５２を制御する。フィルタモジュール６５４は、（ｉ）シングルトーンモード信号が送信されるか、マルチトーンモード信号が送信されるか、（ｉｉ）線形増幅が使用されつつあるか、非線形増幅が使用されつつあるか、（ｉｉｉ）使用されつつあるトーン（１つ又は複数）、（ｉｖ）意図される送信距離範囲、の少なくとも１つの関数として更に制御及び／又は構成される。
【００４２】
図７は、例示的実施形態に従った例示的再発ピアツーピア・タイミング構造及び無線通信デバイスによって送信される例示的信号を示す図である。図７００は、例示的再発ピアツーピア・タイミング構造を示す周波数対時間のプロットである。垂直軸７０２は、周波数、例えばＯＦＤＭトーンをテーブルし、水平軸７０４は、時間、例えばＯＦＤＭシンボル送信時間区間をテーブルす。再発ピアツーピア・タイミング構造の例示的エア・リンク・リソースは、複数の発見リソースブロック（発見リソースブロック１  ７１６、．．．、発見リソースブロックＮ  ７２０）及び複数のトラフィック・リソース・ブロック（トラフィック・リソース・ブロック１  ７１８、．．．、トラフィック・リソース・ブロックＮ  ７２２）を含み、これらのブロックは図７で示されるように相互に混ざり合っている。この例では、各発見リソースブロックについて、対応するトラフィック・リソース・ブロックが存在する。幾つかの実施形態では、各発見リソースブロックについて、複数のトラフィック・リソース・ブロックが存在する。発見リソースブロック（７１６、．．．、７２０）及びトラフィック・リソース・ブロック（７１８、．．．、７２２）は、ピアツーピア周波数帯域７０６の内部にある。
【００４３】
この例において、発見リソースブロックの期間中には、送信しつつある無線通信デバイスはシングルトーン送信動作モードで動作する。トラフィック・リソース・ブロックの期間中には、送信しつつある無線通信デバイスはマルチトーン送信モードで動作する。発見リソースブロック１  ７１６は、シングルトーン送信モード区間７０８に対応する。トラフィック・リソース・ブロック１  ７１８はマルチトーン送信モード区間７１０に対応する。発見リソースブロックＮ  ７２０はシングルトーン送信モード区間７１２に対応する。トラフィック・リソース・ブロックＮ  ７２２はマルチトーン送信モード区間７１４に対応する。
【００４４】
図７５０は、例示的無線端末Ａから送信される例示的シグナリングを示す。発見リソースブロック１  ７１６は２４のＯＦＤＭトーン・シンボルを含む。ここで、トーン・シンボルは、１つのＯＦＤＭシンボル送信時間区間に対するトーンのエア・リンク・リソースをテーブルす。トラフィック・リソース・ブロック１  ７１８は４８のＯＦＤＭトーン・シンボルを含む。発見リソースブロックＮ  ７２０は２４のＯＦＤＭトーン・シンボルを含む。トラフィック・リソース・ブロックＮ  ７２４は４８のＯＦＤＭトーン・シンボルを含む。他の実施形態において、発見リソースブロック及びトラフィック・リソース・ブロックは、異なる数のトーン・シンボルを含む。様々な実施形態において、発見リソースブロックは、トラフィック・リソース・ブロックよりも少ないトーン・シンボルを含む。凡例７７０の表示によれば、例示的正方形７７２で示されるように、正方形の斜交平行陰影は、送信電力Ｐ１で送信されるＷＴ  Ａピア発見セグメント変調シンボルを示す。凡例７７０の表示によれば、例示的正方形７７４で示されるように、正方形の水平線陰影は、送信電力Ｐ２で送信されるＷＴ  Ａピアツーピア・トラフィック・セグメント変調シンボルを示す。ここで、Ｐ２＜Ｐ１である。更に凡例７７０によれば、例示的正方形７７６で示されるように、正方形の垂直線陰影は、送信電力Ｐ３で送信されるＷＴ  Ａピアツーピア・トラフィック・セグメント変調シンボルを示す。ここで、Ｐ３＜Ｐ１である。
【００４５】
例示的発見リソースブロック１  ７１６において、ＷＴ  Ａは、２つのＯＦＤＭトーン・シンボルを備えるピア発見セグメントを使用して自分のピア発見信号を送信する。２つのＯＦＤＭトーン・シンボルは異なるシンボル送信時間区間の中にあり、ＷＴ  ＡはＯＦＤＭシンボル送信時間区間中にシングルトーンで送信する。例示的トラフィック・リソース・ブロック１  ７１８において、ＷＴ  Ａは、１２のＯＦＤＭトーン・シンボルを備えるピアツーピア・トラフィック・セグメントを使用して、自分のピアツーピア・トラフィック・データ信号を送信する。ＷＴ  Ａは、ピアツーピア・トラフィック・セグメントに対応するＯＦＤＭシンボル送信時間区間中に３つのトーンで送信する。例示的発見リソースブロックＮ  ７２０において、ＷＴ  Ａは、２つのＯＦＤＭトーン・シンボルを備えるピア発見セグメントを使用して自分のピア発見信号を送信する。２つのＯＦＤＭトーン・シンボルは、異なるシンボル送信時間区間の中にあり、ＷＴ  ＡはＯＦＤＭシンボル送信時間区間中にシングルトーンで送信する。例示的トラフィック・リソース・ブロックＮ  ７２２において、ＷＴ  Ａは、１２のＯＦＤＭトーン・シンボルを備えるピアツーピア・トラフィック・セグメントを使用して、自分のピアツーピア・トラフィック・データ信号を送信する。ＷＴ  Ａは、ピアツーピア・トラフィック・セグメントに対応するＯＦＤＭシンボル送信時間区間中に３つのトーンで送信する。この例において、ＷＴ  Ａセグメントに関連する特定のトーンは、実現されつつあるトーン・ホッピング・スキームに従って１つのブロックから他のブロックへと変化する。
【００４６】
この例において、増幅され送信されるシングルトーン信号のトーン当たり電力は、増幅され送信されるマルチトーン信号のどのトーンのトーン当たり電力をも超過することが観察されうる。ＷＴ  Ａ送信に対応する様々な実施形態において、発見送信に対する１つのシンボル時間における総エネルギーは、トラフィック送信に対する１つのシンボル時間における総エネルギーよりも多い。
【００４７】
幾つかの実施形態において、ＷＴ  Ａがシングルトーンモードで送信しつつあるとき、ＷＴ  Ａは非線形増幅器を使用し、ＷＴ  Ａがマルチトーンモードで送信しつつあるとき、ＷＴ  Ａは線形増幅器を使用する。幾つかの他の実施形態において、ＷＴ  Ａがシングルトーンモードで送信しつつあるとき、ＷＴ  Ａは第１の増幅器の非線形増幅領域を使用し、ＷＴ  Ａがマルチトーンモードで送信しつつあるとき、ＷＴ  Ａは第１の増幅器の線形増幅領域を使用する。
【００４８】
幾つかの実施形態において、ＷＴ  Ａは、異なる距離範囲に適応するため、ピア発見シグナリングに対する自分の送信電力を変更してもよく、時には実際に変更する。１つのこのような実施形態において、ＷＴ  Ａがシングルトーンモードの長距離範囲サブモードで送信しつつあるとき、ＷＴ  Ａは第１の増幅器の非線形増幅領域を使用し、ＷＴ  Ａがシングルトーンモードの短距離範囲サブモードで送信しつつあるとき、ＷＴ  Ａは第１の増幅器の線形増幅領域を使用し、ＷＴ  Ａがマルチトーンモードで送信しつつあるとき、ＷＴ  Ａは第１の増幅器の線形増幅領域を使用する。
【００４９】
図８は、幾つかの実施形態に従った無線通信デバイス８００の中に含まれる例示的コンポーネントを示す図である。例示的無線通信デバイス８００は、ディジタル・シンボル生成モジュール８０２、信号生成モジュール８０４、フィルタモジュール８１０、転換モジュール８１６、結合器モジュール８２４、増幅器８２６、フィルタモジュール８２８、及び送信アンテナ８３０を含む。これらは図８で示されるように相互に結合される。信号生成モジュール８０４は、複数の信号生成器（副搬送波１  ｆ１に対する正弦波信号生成器８０６、．．．、副搬送波Ｎ  ｆＮに対する正弦波信号生成器８０８）を含む。各正弦波信号生成器（８０６、．．．、８０８）は、使用されつつある周波数帯域の中の異なる副搬送波に対応する。幾つかの実施形態において、副搬送波はＯＦＤＭトーンである。フィルタモジュール８１０は、複数のフィルタモジュール（フィルタ１  ８１２、．．．、フィルタＮ  ８１４）を含む。転換モジュール８１６は、複数のスイッチ（ｓｗｉｔｃｈ）（スイッチ１  ８１８、．．．、スイッチＮ  ８２０）を含む。搬送波選択スイッチ制御８２２は、例えば各シンボル送信時間区間について、どのスイッチ（８１８、．．．、８２０）を開き、どのスイッチを閉じるべきかを決定する。
【００５０】
ディジタル・シンボル生成器モジュール８０２は、送信周波数帯域の中の副搬送波の集合に対応するディジタル・シンボル（Ｂ０、．．．ＢＮ）の集合を生成する。生成されたディジタル・シンボルＢ０は、モジュール８０２から出力され、モジュール８０４へ入力される。モジュール８０４において、生成器８０６は、受け取られたディジタル・シンボルＢ０を処理し、副搬送波ｆ１を介して伝達されるべき正弦波信号を生成する。生成された正弦波はフィルタ１  ８１２によって濾過され、濾過された信号はスイッチ１  ８１８へ入力される。搬送波選択スイッチ制御８２２の設定に依存して、スイッチ８１８は閉じられていても、又は開かれていてもよい。スイッチ１  ８１８が閉じられているとき、フィルタ１  ８１２からの濾過された出力信号は、結合器モジュール８２４の入力へ通過することを許される。スイッチ１  ８１８が開かれているとき、フィルタ１  ８１２からの濾過された出力信号は、結合器モジュール８２４の入力へ通過することを許されない。
【００５１】
他の生成されたディジタル・シンボルの各々について、同様のプロセスが遂行される。生成されたディジタル・シンボルＢＮは、モジュール８０２から出力され、モジュール８０４へ入力される。モジュール８０４において、生成器８０８は、受け取られたディジタル・シンボルＢＮを処理し、副搬送波ｆＮを介して伝達されるべき正弦波信号を生成する。生成された正弦波はフィルタＮ  ８１４によって濾過され、濾過された信号はスイッチＮ  ８２０へ入力される。搬送波選択スイッチ制御８２２の設定に依存して、スイッチ８２０は閉じられていても、又は開かれていてもよい。スイッチＮ  ８２０が閉じられているとき、フィルタＮ  ８１４からの濾過された出力信号は、結合器モジュール８２４の入力へ通過することを許される。スイッチＮ  ８２０が開かれているとき、フィルタＮ  ８１４からの濾過された出力信号は、結合器モジュール８２４の入力へ通過することを許されない。
【００５２】
結合器モジュール８２４、例えば結合器回路は、受け取られた入力を結合して、結果を増幅器８２６の入力へ出力する。増幅器８２６、例えば電力増幅器は、モード制御入力８３４の関数として、自分の特性曲線の異なる増幅領域で作動される。増幅器８２６は、結合器モジュール８２４からの受け取られた入力を増幅し、増幅された出力信号を生成し、この増幅された出力信号はフィルタモジュール８２８へ入力される。フィルタモジュール８２８は、増幅された出力を濾過して、濾過された出力を送信アンテナ８３０へ通過させる。フィルタモジュール８２８は、入力信号８３４及び／又は入力信号８２２の関数として制御及び／又は構成される。例えば、シングルトーンモードにおいて、フィルタモジュール８２８は、単一の選択されたＯＦＤＭトーンを通過させ、他のトーンの各々を除去するように構成され、マルチトーンモードにおいて、フィルタモジュール８２８は、トーンの集合の全体を通過させるように構成される。送信アンテナは、生成された出力信号８３２をエアリンク上で送信する。非ヌル送信トーン（non-null transmitted tones）に関しては、増幅器８２６が非線形領域で動作するように制御されつつあるとき、トーン当たり送信電力は、増幅器８２６が線形領域で動作するように制御されつつあるときよりも大きい。幾つかのこのような実施形態において、増幅器８２６が非線形領域で動作しつつある場合のシンボル送信時間区間に対する送信エネルギーは、増幅器８２６が線形領域で動作するように制御されつつある場合のシンボル送信時間区間に対する送信エネルギーよりも大きい。
【００５３】
テーブル８５０は、モード制御８３４に関する例示的な一実施形態を示す。この例示的実施形態において、通信デバイス８００がシングルトーン送信モードで作動するように設定されたとき、増幅器８２６は非線形領域で動作するように制御される。シングルトーン送信モードにおいて、搬送波選択スイッチ制御８２２は、スイッチ（８１８、．．．、８２０）の集合の中のスイッチの１つを閉じることを選択し、他のスイッチを開いたままにしている。通信デバイス８００がマルチトーン送信モードで動作するように設定されたとき、増幅器８２６は、線形領域で動作するように制御される。マルチトーン送信モードにおいて、搬送波選択スイッチ制御８２２は、スイッチ（８１８、．．．、８２０）の集合の中の複数のスイッチを閉じることを選択し、他のスイッチを開いたままにしている。幾つかの実施形態では、マルチトーンモードにおいて、搬送波選択制御８２２は、スイッチ（８１８、．．．、８２０）の各々を閉じることを選択する。
【００５４】
テーブル８５２は、モード制御８３４に関する他の例示的実施形態を示す。この例示的実施形態において、通信デバイス８００がシングルトーン送信モードの長距離範囲サブモードで動作するように設定されたとき、増幅器８２６は非線形領域で動作するように制御される。通信デバイス８００がシングルトーン送信モードの短距離範囲サブモードで動作するように設定されたとき、増幅器８２６は線形領域で動作するように制御される。シングルトーン送信モードにおいて、搬送波選択スイッチ制御８２２は、スイッチ（８１８、．．．、８２０）の集合の中のスイッチの１つを閉じることを選択しており、他のスイッチを開いたままにしている。通信デバイス８００がマルチトーン送信モードで動作するように設定されたとき、増幅器８２６は線形領域で動作するように制御される。マルチトーン送信モードにおいて、搬送波選択スイッチ制御８２２は、スイッチ（８１８、．．．、８２０）の集合の中の複数のスイッチを閉じることを選択しており、他のスイッチを開いたままにしている。幾つかの実施形態では、マルチトーンモードにおいて、搬送波選択制御８２２はスイッチ（８１８、．．．、８２０）の各々を閉じることを選択する。テーブル８５０及び／又はテーブル８５２は、幾つかの実施形態において、通信デバイス８００のメモリの中に含まれる。
【００５５】
例示的な一実施形態において、通信デバイス８００は、シングルトーンモードの長距離範囲サブモードで送信しているとき２９ｄＢｍの電力レベルで送信する。通信デバイス８００は、シングルトーンモードの短距離範囲サブモードで送信しているとき２３ｄＢｍの電力レベルで送信する。例示的な一実施形態において、シングルトーンモードの短距離範囲サブモードは、意図される最大距離範囲が５００メートルよりも小さいシングルトーン送信に使用され、シングルトーンモードの長距離範囲サブモードは、意図される最大距離範囲が５００メートルから５マイルであるシングルトーン送信に使用される。
【００５６】
図９は、幾つかの実施形態に従った無線通信デバイス９００に含まれる例示的コンポーネントを示す図である。例示的無線通信デバイス９００は、ディジタル・シンボル生成モジュール９０２、信号生成モジュール９０４、増幅モジュール９１０、フィルタモジュール９１６、転換モジュール９２２、結合器モジュール９３０、転換モジュール９３２、非線形増幅器９３４、フィルタモジュール９３８、及び送信アンテナ９４０を含み、これらは図９で示されるように一緒に結合される。信号生成モジュール９０４は、複数の信号生成器（副搬送波１  ｆ１に対する正弦波信号生成器９０６、．．．、副搬送波Ｎ  ｆＮに対する正弦波信号生成器９０８）を含む。各正弦波信号生成器（９０６、．．．、９０８）は、使用されつつある周波数の中の異なる副搬送波に対応する。幾つかの実施形態において、副搬送波はＯＦＤＭトーンである。増幅モジュール９１０は、複数の線形増幅器（線形増幅器１  ９１２、．．．、線形増幅器Ｎ  ９１４）を含む。フィルタモジュール９１６は、複数のフィルタモジュール（フィルタ１  ９１８、．．．、フィルタＮ  ９２０）を含む。転換モジュール９２２は、複数のスイッチ（スイッチ１  ９２４、．．．、スイッチＮ  ９２６）を含む。搬送波選択スイッチ制御９２８は、例えば各シンボル送信時間区間について、どのスイッチ（９２４、．．．、９２８）が開かれ、どのスイッチが閉じられるべきかを決定する。
【００５７】
ディジタル・シンボル生成器モジュール９０２は、送信周波数帯域の中の副搬送波の集合に対応するディジタル・シンボル（Ｂ０、．．．ＢＮ）の集合を生成する。生成されたディジタル・シンボルＢ０は、モジュール９０２から出力され、モジュール９０４へ入力される。モジュール９０４において、生成器９０６は、受け取られたディジタル・シンボルＢ０を処理し、副搬送波ｆ１を介して伝達されるべき正弦波信号を生成する。モジュール９０６からの生成された正弦波信号は線形増幅器１  ９１２によって増幅され、増幅された信号はフィルタ１  ９１８へ入力される。フィルタ１  ９１８は自分の受け取られた入力を濾過し、濾過された信号はスイッチ１  ９２４へ入力される。搬送波選択スイッチ制御９２８の設定に依存して、スイッチ９２４は閉じられていても、又は開かれていてもよい。スイッチ１  ９２４が閉じられているとき、フィルタ１  ９１８からの濾過された出力信号は、結合器モジュール９３０の入力へ通過することを許される。スイッチ１  ９２４が開かれているとき、フィルタ１  ９１８からの濾過された出力信号は、結合器モジュール９３０の入力へ通過することを許されない。
【００５８】
他の生成されたディジタル・シンボルの各々について、同様なプロセスが遂行される。生成されたディジタル・シンボルＢＮはモジュール９０２から出力され、モジュール９０４へ入力される。モジュール９０４において、生成器９０８は、受け取られたディジタル・シンボルＢＮを処理し、副搬送波ｆＮを介して伝達されるべき正弦波信号を生成する。モジュール９０８からの生成された正弦波信号は線形増幅器Ｎ  ９１４によって増幅され、増幅された信号はフィルタＮ  ９２０へ入力される。フィルタＮ  ９２０は、自分の受け取られた入力を濾過し、濾過された信号はスイッチＮ  ９２６へ入力される。搬送波選択スイッチ制御９２８の設定に依存して、スイッチ９２６は閉じられていても、又は開かれていてもよい。スイッチＮ  ９２６が閉じられているとき、フィルタＮ  ９２０からの濾過された出力信号は、結合器モジュール９３０の入力へ通過することを許される。スイッチＮ  ９２６が開かれているとき、フィルタＮ  ９２０からの濾過された出力信号は、結合器モジュール９３０の入力へ通過することを許されない。
【００５９】
結合器モジュール９３０、例えば結合器回路は、受け取られた入力を結合し、結果を転換モジュール９３２の入力へ出力する。転換モジュール９３２は、結合器モジュール９３０の受け取られた出力を、フィルタモジュール９３８の入力へ直接通過させるか、代替として、結合器モジュール９３０の出力を非線形増幅器９３４の入力へ送り込み、次いで非線形増幅器９３４からの増幅された信号をフィルタモジュール９３８の入力へ送り込む。転換モジュール９３２は、モード制御信号９３６の関数として、非線形増幅器９３４を処理過程に含めるか否かを決定する。
【００６０】
非線形増幅器９３４は、転換によって含められたとき、結合器モジュール９３０からの受け取られた入力を増幅し、フィルタモジュール９３８へ入力される増幅された出力信号を生成する。フィルタモジュール９３８は、増幅された出力を濾過し、濾過された出力を送信アンテナ９４０へ通過させる。送信アンテナは、生成された出力信号９４２をエアリンク上で送信する。非線形増幅器９３４が転換によって含められないとき、結合器モジュール９３０の出力はフィルタモジュール９３８の入力へ送り込まれる。フィルタモジュール９３８は、受け取られた信号を濾過し、濾過された出力を送信アンテナ９４０へ通過させる。送信アンテナは、生成された出力信号９４２をエアリンク上で送信する。フィルタモジュール９３８は、入力信号９３６及び／又は入力信号９２８の関数として制御及び／又は構成される。例えば、シングルトーンモードにおいて、フィルタモジュール９３６は、単一の選択されたＯＦＤＭトーンを通過させて他のトーンの各々を除去するように構成され、マルチトーンモードにおいて、フィルタモジュール９３６は、トーンの集合の全体を通過させるように構成される。
【００６１】
非ヌル送信トーン（non-null transmitted tones）に関しては、非線形増幅器９３４が使用されつつあるとき、トーン当たり送信電力は、増幅器９３４が使用されていないときよりも大きい。幾つかのこのような実施形態において、増幅器９３４が使用されつつある場合のシンボル送信時間区間に対する送信エネルギーは、増幅器９３４が使用されていない場合のシンボル送信時間区間に対する送信エネルギーよりも大きい。
【００６２】
テーブル９５０は、モード制御９３６に関する例示的な一実施形態を示す。この例示的実施形態において、通信デバイス９００がシングルトーン送信モードで動作するように設定されたとき、非線形増幅器９３４は処理連鎖の中へ転換されて使用されるように制御される。シングルトーン送信モードにおいて、搬送波選択スイッチ制御９２８は、スイッチ（９２４、．．．、９２６）の集合の中のスイッチの１つを閉じることを選択しており、他のスイッチを開いたままにしている。通信デバイス９００がマルチトーン送信モードで動作するように設定されたとき、非線形増幅器９３４は、処理連鎖の外へ転換されて使用されないように制御される。マルチトーン送信モードにおいて、搬送波選択スイッチ制御９２８は、スイッチ（９２４、．．．、９２６）の集合の中の複数のスイッチを閉じることを選択しており、他のスイッチを開いたままにしている。幾つかの実施形態では、マルチトーン送信モードにおいて、搬送波選択スイッチ制御９２８は、スイッチ（９２４、．．．、９２６）の各々を閉じることを選択する。
【００６３】
テーブル９５２は、モード制御９３６に関して他の例示的実施形態を示す。この例示的実施形態において、通信デバイス９００がシングルトーン送信モードの長距離範囲サブモードで動作するように設定されたとき、非線形増幅器９３４は処理連鎖の中へ転換されて使用されるように制御される。通信デバイス９００がシングルトーン送信モードの短距離範囲サブモードで動作するように設定されたとき、非線形増幅器９３４は処理連鎖の外へ転換されて使用されないように制御される。シングルトーン送信モードにおいて、搬送波選択スイッチ制御９２２は、スイッチ（９２４、．．．、９２６）の集合の中のスイッチの１つを閉じることを選択しており、他のスイッチを開いたままにしている。通信デバイス９００がマルチトーン送信モードで動作するように設定されたとき、非線形増幅器９３４は処理連鎖の外へ転換されて使用されないように制御される。マルチトーン送信モードにおいて、搬送波選択スイッチ制御９２８は、スイッチ（９２４、．．．、９２６）の集合の中の複数のスイッチを閉じることを選択しており、他のスイッチを開いたままにしている。幾つかの実施形態では、マルチトーン送信モードにおいて、搬送波選択スイッチ制御９２８は、スイッチ（９２４、．．．、９２６）の集合の中のスイッチの各々を閉じることを選択する。テーブル９５０及び／又はテーブル９５２は、幾つかの実施形態において、通信デバイス９００のメモリの中に含まれる。
【００６４】
例示的な一実施形態において、通信デバイス９００は、シングルトーンモードの長距離範囲サブモードで送信しているとき２９ｄＢｍの電力レベルで送信する。通信デバイス９００は、シングルトーンモードの短距離範囲サブモードで送信しているとき２３ｄＢｍの電力レベルで送信する。例示的な一実施形態において、シングルトーンモードの短距離範囲サブモードは、意図される最大距離範囲が５００メートルよりも小さいシングルトーン送信で使用され、シングルトーンモードの長距離範囲サブモードは、意図される最大距離範囲が５００メートルから５マイルまでのシングルトーン送信で使用される。
【００６５】
この後で、例示的ピアツーピア通信システムにおける例示的ピアツーピア・プロトコルの例示的動作に関連した様々な特徴及び態様が、幾つかの実施形態に従って説明される。例示的ピアツーピア・プロトコルは、ピア発見、ページング（ｐａｇｉｎｇ）、及びトラフィックシグナリングをサポートすることを考慮されたい。更に、デバイスＡ及びデバイスＢは、ピアツーピア・プロトコルを実現している２つの例示的無線通信デバイスであることを考慮されたい。
【００６６】
・ピア発見動作を説明する。デバイスＡ及びＢの各々はピア発見信号をブロードキャストする。ピア発見信号はデバイスの存在を表示する。デバイスＡは、自分のピア発見信号をブロードキャストするためＰＤＲＩＤ（ピア発見リソースＩＤ）を獲得する。ＰＤＲＩＤは、ピア発見通信路における通信路リソースの特定の部分集合に対応する。デバイスＢは、自分のピア発見信号をブロードキャストするためＰＤＲＩＤを獲得する。各デバイスは、他のデバイスからのピア発見信号をモニタする。
【００６７】
・ここで、ページング動作を説明する。デバイスＡは、デバイスＢからのピア発見信号を受信した後、デバイスＢの存在に気づく。デバイスＡはデバイスＢとの通信を意図すると仮定する。故に、デバイスＡはデバイスＢにページングして接続を確立する。
【００６８】
・ここで、トラフィック動作を説明する。一度、接続が利用可能になると、ＡとＢとの間のトラフィックが接続内で搬送され得る。接続は、ＣＩＤ（接続ＩＤ）に関連づけられる。ＣＩＤは、トラフィック制御通信路における通信路リソースの特定の部分集合に対応する。トラフィック制御通信路は、トラフィックをスケジュールし、異なるピアツーピア通信接続の間の干渉を管理するために使用される。具体的には、デバイスＡがデバイスＢへのトラフィック送信を意図したとき、デバイスＡは先ずＣＩＤに基づき要求信号を送る。デバイスＢがデバイスＡから応答信号を受け取った後、デバイスＡはパイロットを送るように進む。パイロットは、デバイスＢがＳＩＮＲを測定するための広帯域マルチトーン信号である。ＳＩＮＲは、データレートを決定するためデバイスＡへ戻される。次いで、デバイスＡは、決定されたデータレートを使用してトラフィックをデバイスＢへ送信する。最後に、デバイスＢは、肯定応答をデバイスＡへ送る。
【００６９】
上記の例示的動作プロトコルは、多くのデバイス、例えば、高度自動機能電話、ＰＤＡなどで良好に働く。これらのデバイスの多くは、典型的には、線形電力増幅器を使用する。なぜなら、上記で説明されたプロトコルで使用されるシグナリングスキームの少なくとも幾つかは、トランシーバ連鎖の中で直線性を有すべきであるからである。例えば、マルチトーンシグナリングについては線形増幅を使用すべきである。しかしながら、非線形電力増幅器は、線形電力増幅器と比較して、低いコスト及び高い効率を有することが周知である。それ故に、幾つかの実施形態において、例えば、コストを低減し、複雑度を低減し、及び／又は効率を増加するため、実行可能である場合には、非線形電力増幅器が使用される。様々な実施形態において、例示的ピアツーピア・プロトコルをサポートするデバイスでは、非線形電力増幅器が含められて使用される。低コストデバイスを構築し、それでも比較的長い発見及びトラフィック通信距離範囲を達成するためには、このような特徴が特に望まれる。
【００７０】
幾つかの実施形態の１つの態様によれば、低コストデバイスは、自分の送信信号の大部分又は各々を送信するためシングルトーン・シグナリング・スキームを使用する。利用されるシングルトーン・シグナリング・スキームは、例えば、所与のＯＦＤＭシンボルの中で信号が１つだけのトーン（副搬送波）を占拠する特殊ＯＦＤＭスキームである。トーンは、例えば所定のトーン・ホッピング・パターンに従って、１つのシンボルから他のシンボルへホッピングしてもよい。
【００７１】
幾つかの実施形態において、シングルトーン信号は本質的に正弦波波形であり、振幅は一定に留まる。それ故に、このような実施形態において、非線形電力増幅器を用いてシングルトーン信号を増幅することが可能である。というのは、非線形増幅器をフィルタと組み合わせて使用するとき、信号波形の歪みを生じないからである。一実施形態において、非線形電力増幅器は方形波信号生成器である。方形波信号生成器は、ディジタル制御モジュールによって制御される特定の周波数及び位相に従って方形波を生成する。方形波の周波数は、シングルトーンのトーン周波数と同じになるように設定される。方形波は、基本正弦波波形及び高調波を含むことに注意されたい。基本正弦波波形は、所望されるトーン信号である。搬送波周波数に依存して、トーン周波数は典型的には１ＧＨｚの桁である。それ故に、高調波は非常に高い周波数であり、例えば、同様に採用されるフィルタによって容易に除去されることができ、実際に除去される。
【００７２】
例示的ピアツーピア・プロトコルを使用する例示的システムにおいて、トラフィック通信路のデータセグメントは、エアリンク・リソースであることができ、時には実際にそうである。エア・リンク・リソースは、マルチトーン信号、例えば、複数のトーンを含む一部分又は全体のシステム帯域幅、例えば５ＭＨｚを占拠するマルチトーン信号を搬送する。幾つかの実施形態の特徴によれば、シングルトーンで送信する低コストデバイスによって使用を意図されるトラフィック通信路の幾つかのデータセグメントは、シングルトーン幅のエアリンク・リソースである。例えば、トラフィックデータに対するエア・リンク・リソースは、５ＭＨｚ帯域幅の中で１２８のトーンを使用すると仮定する。線形電力増幅器を有するデバイスは、トラフィック送信に１２８のトーンの全体を使用し、非線形電力増幅器を有するデバイスは、１つだけのトーンを使用する。一実施形態において、ＯＦＤＭ信号を生成するために使用されるＦＦＴサイズは、マルチトーントラフィック信号、例えば１２８トーンの信号とシングルトーントラフィック信号とでは異なってもよい。幾つかの実施形態において、低コストデバイスは、所与のデータセグメントの自分の送信ＯＦＤＭシンボルの各々について同じトーンを使用し、これによって通信路推定を簡単にする。シングルトーンは、例えば疑似乱数的に１つのデータセグメントから他のデータセグメントへ変動し、接続の送信機及び受信機の双方はトーン・ホッピング・パターンを先験的に知っている。代替として、低コストデバイスは個々のＯＦＤＭシンボルにおける隣接するトーンの対から１つのトーンを使用することを選択してもよい。この設計は、通信路推定の利点を大きな範囲へ保持し、同じデータセグメントにおけるシングルトーン信号の間の非常に良好な干渉平均化を提供する。
【００７３】
例示的ピアツーピア・プロトコルを使用するシステムにおいて、幾つかのデバイスは、データセグメント信号を送る前に、トラフィック制御の一部分として、ＳＩＮＲ推定のために広帯域マルチトーンパイロット信号を送信してもよく、時には実際に送信する。幾つかの実施形態の特徴によれば、シングルトーンモードで動作する低コストデバイスに使用されるパイロット信号はシングルトーン信号であり、トーン位置は、データセグメントで使用されるべきものと同じである。代替として、幾つかの実施形態において、パイロット／通信路品質インディケータ（ＣＱＩ）報告プロトコルは全面的にスキップされ得る。というのは、データセグメント内のシングルトーンシグナリングが与えられるとすれば、レート選択が制限されてもよいからである。更に、データセグメント内のシングルトーン信号は、通常、他のトラフィック信号に対して比較的少量の干渉を引き起こすので、トラフィック制御通信路のトラフィックスケジューリング及び干渉管理プロトコルは、シングルトーン接続が他の接続との間の干渉コストを適当に推定し、他の接続がシングルトーン接続との間の干渉コストを適当に推定するように構築され、過剰な干渉コストを心配して相互に不必要に譲歩することがないようにされる。
【００７４】
幾つかの実施形態において、少なくとも幾つかのデバイスは線形電力増幅器及び非線形電力増幅器の双方を装備する。幾つかのこのようなデバイスは、通信の距離範囲が比較的短いとき、線形電力増幅器を使用して高データレートのマルチトーントラフィック信号を送るが、通信の距離範囲が或る一定の閾値を超えて増加するとき、非線形電力増幅器の使用へ転換して、低データレートのシングルトーントラフィック信号を送る。
【００７５】
様々な実施形態の手法は、ソフトウェア、ハードウェア、及び／又はソフトウェアとハードウェアとの組み合わせを使用して実現されてもよい。幾つかの実施形態において、モジュールは物理モジュールとして実現される。幾つかのこのような実施形態において、個々の物理モジュールは、ハードウェア、例えば回路として実現され、又はソフトウェアを有するハードウェア、例えば回路を含む。他の実施形態において、モジュールはソフトウェアモジュールとして実現される。ソフトウェアモジュールはメモリの中に記憶され、プロセッサ、例えば汎用コンピュータによって実行される。様々な実施形態は、装置、例えば静止無線ノード、移動ノード、例えば移動アクセス端末、移動アクセス端末の単なる１つの例としての携帯電話、アクセスポイント、例えば、１つ又は複数のアタッチメントポイントを含む基地局、サーバ、及び／又は通信システムへ向けられる。様々な実施形態は、方法、例えば、移動及び／又は静止ノードを含む無線通信デバイス、アクセスポイント、例えば基地局、サーバノード及び／又は通信システム、例えばホストを制御及び／又は作動する方法へも向けられる。様々な実施形態は、機械、例えばコンピュータ、読み取り可能媒体、例えばＲＯＭ、ＲＡＭ、ＣＤ、ハードディスクなどへも向けられる。これらは、機械を制御して方法の１つ又は複数のステップを実現する機械読み取り可能命令を含む。
【００７６】
開示されたプロセスにおけるステップの特定の順序又は階層は、例示的なアプローチの１つの例である。設計の選好に基づいて、プロセスにおけるステップの特定の順序又は階層は再配列され、この開示の範囲の中に残留してもよいことが理解される。添付の方法クレームは、様々なステップの要素をサンプルの順序で提示するが、提示された特定の順序又は階層へ限定されることを意味しない。
【００７７】
様々な実施形態において、本明細書で説明されるノードは、１つ又は複数の方法に対応するステップ、例えば、マルチトーン信号に対して線形増幅動作を遂行すること、増幅されたマルチトーン信号を送信すること、シングルトーン信号に対して非線形増幅動作を遂行すること、及び増幅されたシングルトーン信号を送信することを遂行するため、１つ又は複数のモジュールを使用して実現される。
【００７８】
故に、幾つかの実施形態において、様々な特徴はモジュールを使用して実現される。このようなモジュールは、ソフトウェア、ハードウェア、又はソフトウェアとハードウェアとの組み合わせを使用して実現されてもよい。上記で説明された方法又は方法ステップの多くは、機械実行可能な命令、例えばソフトウェアを使用して実現され得る。機械実行可能な命令は、機械読み取り可能媒体、例えばメモリデバイス、例えばＲＡＭ、フロッピー（登録商標）ディスクなどの中に含まれ、機械、例えば、追加のハードウェアを有するか有しない汎用コンピュータを制御して、上記で説明された方法の全部又は一部を、例えば１つ又は複数のノードの中で実現する。従って、特に、様々な実施形態は、機械実行可能な命令を含む機械読み取り可能媒体へ向けられる。機械実行可能な命令は、機械、例えば、プロセッサ及び関連するハードウェアが、上記で説明された方法（複数可）の１つ又は複数のステップを遂行することを引き起こす。幾つかの実施形態は、プロセッサを含むデバイス、例えば通信デバイスへ向けられる。プロセッサは、本発明の１つ又は複数の方法のステップの１つ、複数、又は全部を実現するように構成される。
【００７９】
幾つかの実施形態は、コンピュータ読み取り可能媒体を備えるコンピュータ・プログラム・プロダクトに関する。コンピュータ読み取り可能媒体は、１つのコンピュータ又は複数のコンピュータが、様々な機能、ステップ、行為、及び／又は動作、例えば、上記で説明された１つ又は複数のステップを実現することを引き起こすコードを備える。実施形態に依存して、コンピュータ・プログラム・プロダクトは、遂行されるべき各ステップについて異なるコードを含むことができ、時には実際に含む。こうして、コンピュータ・プログラム・プロダクトは、方法、例えば、通信デバイス又はノードを制御する方法の個々の各ステップに対するコードを含んでもよく、時には実際に含む。コードは、機械実行可能命令、例えばコンピュータ実行可能命令の形式であってもよく、これらの命令は、コンピュータ読み取り可能媒体、例えばＲＡＭ（ランダム・アクセス・メモリ（Ｒａｎｄｏｍ  Ａｃｃｅｓｓ  Ｍｅｍｏｒｙ））、ＲＯＭ（読み出し専用メモリ）、又は他のタイプの記憶デバイスに記憶される。コンピュータ・プログラム・プロダクトへ向けられることに加えて、幾つかの実施形態はプロセッサへ向けられる。プロセッサは、上記で説明された１つ又は複数の方法の様々な機能、ステップ、行為、及び／又は動作の１つ又は複数を実現するように構成される。従って、幾つかの実施形態は、本明細書で説明される方法のステップの幾つか又は全部を実現するように構成されたプロセッサ、例えばＣＰＵへ向けられる。プロセッサは、本願で説明された通信デバイス又は他のデバイスの中で使用されてもよい。
【００８０】
幾つかの実施形態において、１つ又は複数のデバイス、例えば無線端末のような通信デバイスのプロセッサ、例えばＣＰＵは、通信デバイスによって遂行されるものとして、説明された方法のステップを遂行するように構成される。従って、全部ではないが幾つかの実施形態は、プロセッサを有するデバイス、例えば通信デバイスへ向けられる。プロセッサは、プロセッサを含むデバイスによって遂行される様々な説明された方法のステップの各々に対応するモジュールを含む。全部ではないが幾つかの実施形態において、デバイス、例えば通信デバイスは、プロセッサを含むデバイスによって遂行される様々な説明された方法のステップの各々に対応するモジュールを含む。モジュールは、ソフトウェア及び／又はハードウェアを使用して実現されてもよい。
【００８１】
様々な特徴は、ＯＦＤＭシステムとの関連で説明されたが、様々な実施形態の方法及び装置の少なくとも幾つかは、多くの非ＯＦＤＭ及び／又は非セルラシステムを含む広範囲の通信システムへ適用可能である。
【００８２】
上記で説明された様々な実施形態の方法及び装置に対する多数の追加の変形は、上記の説明を勘案して当業者に明らかであろう。このような変形は、範囲の中に入ると考えるべきである。方法及び装置は、ＣＤＭＡ、直交周波数分割多重化（ＯＦＤＭ）、ＧＳＭ（登録商標）、及び／又は様々な他のタイプの通信手法を用いて使用されてもよく、様々な実施形態で実際に使用される。これらの通信手法は、無線通信リンク、例えば、ピアツーピア・プロトコルを実現する２つの無線通信デバイスの間のピアツーピア通信リンク、及び／又はアクセスポイントと無線通信デバイス、例えば移動ノードとの間のＷＡＮ無線通信リンク及び無線通信を提供するために使用されてもよい。方法及び装置は、ＣＤＭＡ、直交周波数分割多重化（ＯＦＤＭ）、ＧＳＭ（登録商標）、及び／又は様々な他のタイプの通信手法を用いて使用されてもよく、様々な実施形態で実際に使用される。これらの通信手法は、無線通信リンク、例えば、ピアツーピア・インタフェースを含む無線通信デバイスの間の直接ピアツーピア無線通信リンクを提供するために使用されてもよい。幾つかの実施形態において、広域ネットワークインタフェース及びピアツーピア・ネットワーク・インタフェースの双方を含む無線通信デバイスは、異なるインタフェースについては異なる通信手法を使用する。例えば、ＷＡＮインタフェースについてはＣＤＭＡ及びＧＳＭ（登録商標）ベース手法（ＧＳＭ（登録商標）  ｂａｓｅｄ  ｔｅｃｈｎｉｑｕｅｓ）の１つを使用し、ピアツーピア・インタフェースについてはＯＦＤＭベース手法（ＯＦＤＭ  ｂａｓｅｄ  ｔｅｃｈｎｉｑｕｅｓ）を使用する。幾つかの実施形態において、アクセスポイントは基地局として実現され、基地局はＣＤＭＡ、ＧＳＭ（登録商標）、及び／又はＯＦＤＭを使用して移動ノードとの通信リンクを確立する。様々な実施形態において、移動ノードはノートブックコンピュータ、パーソナル・データ・アシスタント（ＰＤＡ）、又は受信機／送信機回路及び論理及び／若しくはルーチンを含む他の持ち運び可能なデバイスとして実現される。これらのデバイスは方法を実現する。
【図１】
2014064288.tif 000003
【図２】
2014064288.tif 000004
【図３】
2014064288.tif 000005
【図４】
2014064288.tif 000006
【図５】
2014064288.tif 000007
【図６】
2014064288.tif 000008
【図７】
2014064288.tif 000009
【図８】
2014064288.tif 000010
【図９】
2014064288.tif 000011
【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
通信デバイスを作動する方法であって、
マルチトーン動作モード期間に、マルチトーン信号に対して線形増幅を遂行することと、
前記増幅されたマルチトーン信号を送信することと、
シングルトーンの短距離範囲動作モード期間に、第１のシングルトーン信号に対して線形増幅を遂行することと、
前記増幅された第１のシングルトーン信号を送信することと、
シングルトーンの長距離範囲動作モード期間に、第２のシングルトーン信号に対して線形および非線形増幅動作の両方を遂行することと、
前記増幅された第２のシングルトーン信号を送信することと、
を備える方法。
【請求項２】
前記増幅された第２のシングルトーン信号は、前記マルチトーン信号よりも大きい送信電力を使用して送信される、請求項１に記載の方法。
【請求項３】
前記シングルトーンの短距離範囲動作モード期間に、前記第１のシングルトーン信号に対して線形増幅を遂行することは、第１の増幅器の線形増幅領域を使用して前記第１のシングルトーン信号を増幅することを含む、請求項１に記載の方法。
【請求項４】
シングルトーンの長距離範囲動作モード期間に、前記第２のシングルトーン信号に対して線形増幅および非線形増幅動作の両方を遂行することは、非線形増幅器である前記第１の増幅器および第２の増幅器の両方を使用して前記第２のシングルトーン信号を増幅することを含む、請求項３に記載の方法。
【請求項５】
前記通信デバイスが、前記マルチトーン動作モードまたは前記シングルトーンの短距離範囲動作モードのうちの１つから前記シングルトーンの長距離範囲動作モードへ転換するときに、前記第２の増幅器を前記第１の増幅器に連続して接続するように転換モジュールを作動することをさらに備える、請求項４に記載の方法。
【請求項６】
前記マルチトーン信号は第１の周波数帯域を占拠し、前記第１のシングルトーン信号は前記第１の周波数帯域の内部に位置決めされる、請求項５に記載の方法。
【請求項７】
前記通信デバイスが、前記シングルトーンの長距離範囲動作モードから前記マルチトーン動作モードまたは前記シングルトーンの短距離範囲動作モードのうちの１つへ転換するときに、前記第２の増幅器を前記第１の増幅器に連続していることから切り離すように前記転換モジュールを作動することをさらに備える、請求項５に記載の方法。
【請求項８】
通信デバイスを作動する方法であって、
マルチトーン動作モード期間に、
マルチトーン信号に対して線形増幅動作を遂行することと、
前記増幅されたマルチトーン信号を送信することと、
シングルトーン動作モード期間に、
シングルトーン信号に対して非線形増幅動作を遂行することと、
前記増幅されたシングルトーン信号を送信することと、前記非線形増幅動作および前記増幅されたシングルトーン信号を送信することが遂行されている、
トラフィックデータを送信することから発見情報を送信することへの変更の一部として、前記マルチトーン動作モードから前記シングルトーン動作モードへ転換することを備え、
ここにおいて、前記マルチトーンおよびシングルトーン動作モードは、重複しない異なる期間に対応する、方法。
【請求項９】
前記シングルトーン動作モードは、ピア発見情報を送信するために使用され、前記マルチトーン動作モードは、トラフィックデータを送信するために使用される、請求項８に記載の方法。
【請求項１０】
マルチトーン動作モード期間に、マルチトーン信号に対して線形増幅を遂行する手段と、
前記増幅されたマルチトーン信号を送信する手段と、
シングルトーンの短距離範囲動作モード期間に、第１のシングルトーン信号に対して線形増幅を遂行する手段と、
シングルトーンの長距離範囲動作モード期間に、第２シングルトーン信号に対して線形および非線形増幅の両方を遂行する手段と、
前記増幅された第１のシングルトーン信号および前記増幅された第２のシングルトーン信号を送信する手段と、
を備える通信デバイス。
【請求項１１】
前記増幅された第１のシングルトーン信号および前記第２のシングルトーン信号を送信する前記手段は、前記マルチトーン信号を送信する前記手段が、前記増幅されたマルチトーン信号を送信するときに使用するよりも大きい送信電力を使用して、前記増幅された第２のシングルトーン信号を送信する、請求項１０に記載の通信デバイス。
【請求項１２】
線形増幅を遂行する前記手段は、第１の増幅器の線形増幅領域を使用して前記第１のシングルトーン信号を増幅する手段を含む、請求項１０に記載の通信デバイス。
【請求項１３】
シングルトーンの長距離範囲動作モード期間に、前記第２のシングルトーン信号に対して線形増幅および非線形増幅の両方を遂行する前記手段は、非線形増幅器である第２の増幅器を使用して前記第２のシングルトーン信号を増幅する手段を含む、請求項１２に記載の通信デバイス。
【請求項１４】
前記通信デバイスが、前記マルチトーン動作モードまたは前記シングルトーンの短距離範囲動作モードのうちの１つから前記シングルトーンの長距離範囲動作モードへ転換するときに、前記第２の増幅器を前記第１の増幅器に連続して接続するように転換を制御する手段をさらに備える、請求項１３に記載の通信デバイス。
【請求項１５】
通信デバイスで使用するためのコンピュータ・プログラムあって、
マルチトーン動作モード期間に、少なくとも１つのコンピュータにマルチトーン信号に対して線形増幅を遂行させるためのコードと、
前記少なくとも１つのコンピュータに前記増幅されたマルチトーン信号を送信させるためのコードと、
シングルトーンの短距離範囲動作モード期間に、前記少なくとも１つのコンピュータに第１のシングルトーン信号に対して線形増幅を遂行させるためのコードと、
前記少なくとも１つのコンピュータに前記増幅された第１のシングルトーン信号を送信させるためのコードと、
シングルトーンの長距離範囲動作モード期間に、前記少なくとも１つのコンピュータに第２のシングルトーン信号に対して線形および非線形増幅の両方を遂行させるためのコードと、
前記少なくとも１つのコンピュータに前記増幅されたシングルトーン信号を送信させるためのコードと、
を備えるコンピュータ・プログラム。
【請求項１６】
通信デバイスであって、
マルチトーン動作モード期間に、マルチトーン信号に対して線形増幅を遂行する、
前記増幅されたマルチトーン信号を送信する、
シングルトーンの短距離範囲動作モード期間に、第１のシングルトーン信号に対して線形増幅を遂行する、
前記増幅された第１のシングルトーン信号を送信する、
シングルトーンの長距離範囲動作モード期間に、第２のシングルトーン信号に対して線形および非線形増幅動作の両方を遂行する、
前記増幅された第２のシングルトーン信号を送信する、ように構成された少なくとも１つのプロセッサと、
前記少なくとも１つのプロセッサに結合されたメモリと
を備える通信デバイス。
【請求項１７】
前記少なくとも１つのプロセッサは、前記マルチトーン信号よりも大きい送信電力を使用して、前記増幅された第２のシングルトーン信号を送信するように構成されている、請求項１６に記載の通信デバイス。
【請求項１８】
前記少なくとも１つのプロセッサは、前記シングルトーンの短距離範囲動作モード期間に、前記第１のシングルトーン信号に対して線形増幅を遂行するように構成されていることの一部分として、第１の増幅器の線形増幅領域を使用して前記第１のシングルトーン信号を増幅するように構成されている、請求項１６に記載の通信デバイス。
【請求項１９】
前記少なくとも１つのプロセッサは、シングルトーンの長距離範囲動作モード期間に、前記第２のシングルトーン信号に対して線形および非線形増幅動作の両方を遂行するように構成されていることの一部分として、非線形増幅器である第２の増幅器および前記第１の増幅器の両方を使用して前記第２のシングルトーン信号を増幅するように構成されている、請求項１８に記載の通信デバイス。
【請求項２０】
前記少なくとも１つのプロセッサは、前記通信デバイスが前記マルチトーン動作モードまたは前記シングルトーンの短距離範囲動作モードのうちの１つから前記シングルトーンの長距離範囲動作モードへ転換するときに、前記第２の増幅器を前記第１の増幅器に連続して接続するように転換モジュールを制御するように構成される、
【手続補正２】
【補正対象書類名】明細書
【補正対象項目名】００８２
【補正方法】変更
【補正の内容】
【００８２】
上記で説明された様々な実施形態の方法及び装置に対する多数の追加の変形は、上記の説明を勘案して当業者に明らかであろう。このような変形は、範囲の中に入ると考えるべきである。方法及び装置は、ＣＤＭＡ、直交周波数分割多重化（ＯＦＤＭ）、ＧＳＭ（登録商標）、及び／又は様々な他のタイプの通信手法を用いて使用されてもよく、様々な実施形態で実際に使用される。これらの通信手法は、無線通信リンク、例えば、ピアツーピア・プロトコルを実現する２つの無線通信デバイスの間のピアツーピア通信リンク、及び／又はアクセスポイントと無線通信デバイス、例えば移動ノードとの間のＷＡＮ無線通信リンク及び無線通信を提供するために使用されてもよい。方法及び装置は、ＣＤＭＡ、直交周波数分割多重化（ＯＦＤＭ）、ＧＳＭ（登録商標）、及び／又は様々な他のタイプの通信手法を用いて使用されてもよく、様々な実施形態で実際に使用される。これらの通信手法は、無線通信リンク、例えば、ピアツーピア・インタフェースを含む無線通信デバイスの間の直接ピアツーピア無線通信リンクを提供するために使用されてもよい。幾つかの実施形態において、広域ネットワークインタフェース及びピアツーピア・ネットワーク・インタフェースの双方を含む無線通信デバイスは、異なるインタフェースについては異なる通信手法を使用する。例えば、ＷＡＮインタフェースについてはＣＤＭＡ及びＧＳＭ（登録商標）ベース手法（ＧＳＭ（登録商標）  ｂａｓｅｄ  ｔｅｃｈｎｉｑｕｅｓ）の１つを使用し、ピアツーピア・インタフェースについてはＯＦＤＭベース手法（ＯＦＤＭ  ｂａｓｅｄ  ｔｅｃｈｎｉｑｕｅｓ）を使用する。幾つかの実施形態において、アクセスポイントは基地局として実現され、基地局はＣＤＭＡ、ＧＳＭ（登録商標）、及び／又はＯＦＤＭを使用して移動ノードとの通信リンクを確立する。様々な実施形態において、移動ノードはノートブックコンピュータ、パーソナル・データ・アシスタント（ＰＤＡ）、又は受信機／送信機回路及び論理及び／若しくはルーチンを含む他の持ち運び可能なデバイスとして実現される。これらのデバイスは方法を実現する。
以下に、出願当初の特許請求の範囲に記載された発明を付記する。
［Ｃ１］
通信デバイスを作動する方法であって、
マルチトーン信号に対して線形増幅動作を遂行することと、
前記増幅されたマルチトーン信号を送信することと、
シングルトーン信号に対して非線形増幅動作を遂行することと、
前記増幅されたシングルトーン信号を送信することと、
を備える方法。
［Ｃ２］
前記増幅されたシングルトーン信号は、前記マルチトーン信号よりも大きい送信電力を使用して送信される、Ｃ１に記載の方法。
［Ｃ３］
線形増幅動作を遂行することは、第１の増幅器の線形増幅領域を使用して前記マルチトーン信号を増幅することを含む、Ｃ１に記載の方法。
［Ｃ４］
非線形増幅動作を遂行することは、非線形増幅器である第２の増幅器を使用して前記シングルトーン信号を増幅することを含む、Ｃ３に記載の方法。
［Ｃ５］
非線形増幅動作を遂行することは、前記第１の増幅器の非線形増幅領域を使用して前記シングルトーン信号を増幅することを含む、Ｃ３に記載の方法。
［Ｃ６］
前記マルチトーン信号は第１の周波数帯域を占拠し、前記シングルトーン信号は前記第１の周波数帯域の内部に位置決めされる、Ｃ５に記載の方法。
［Ｃ７］
前記線形増幅動作を遂行すること及び前記増幅されたマルチトーン信号を送信することは、マルチトーン動作モード中に遂行され、
前記非線形増幅動作を遂行すること及び前記増幅されたシングルトーン信号を送信することは、シングルトーン動作モード中に遂行される、
Ｃ１に記載の方法。
［Ｃ８］
前記マルチトーン動作モード及び前記シングルトーン動作モードは、重複しない異なる期間に対応し、
送信されるべき情報のタイプの関数として、前記マルチトーン動作モードから前記シングルトーン動作モードへ転換することを更に備える、
Ｃ７に記載の方法。
［Ｃ９］
前記シングルトーン動作モードは、ピア発見情報を送信するために使用され、前記マルチトーン動作モードは、トラフィックデータを送信するために使用される、Ｃ８に記載の方法。
［Ｃ１０］
マルチトーン信号に対して線形増幅動作を遂行する手段と、
前記増幅されたマルチトーン信号を送信する手段と、
シングルトーン信号に対して非線形増幅動作を遂行する手段と、
前記増幅されたシングルトーン信号を送信する手段と、
を備える通信デバイス。
［Ｃ１１］
前記増幅されたシングルトーン信号を送信する前記手段は、前記マルチトーン信号を送信する前記手段が、前記増幅されたマルチトーン信号を送信するときに使用するよりも大きい送信電力を使用して、前記増幅されたシングルトーン信号を送信する、Ｃ１０に記載の通信デバイス。
［Ｃ１２］
線形増幅動作を遂行する前記手段は、第１の増幅器の線形増幅領域を使用して前記マルチトーン信号を増幅する手段を含む、Ｃ１０に記載の通信デバイス。
［Ｃ１３］
非線形増幅動作を遂行する前記手段は、非線形増幅器である第２の増幅器を使用して前記シングルトーン信号を増幅する手段を含む、Ｃ１２に記載の通信デバイス。
［Ｃ１４］
非線形増幅動作を遂行する前記手段は、前記第１の増幅器の非線形増幅領域を使用して前記シングルトーン信号を増幅する手段を含む、Ｃ１２に記載の通信デバイス。
［Ｃ１５］
通信デバイスで使用するためのコンピュータ・プログラム・プロダクトであって、
コンピュータ読み取り可能媒体を備え、前記コンピュータ読み取り可能媒体は、
少なくとも１つのコンピュータにマルチトーン信号に対して線形増幅動作を遂行させるためのコードと、
前記少なくとも１つのコンピュータに前記増幅されたマルチトーン信号を送信させるためのコードと、
前記少なくとも１つのコンピュータにシングルトーン信号に対して非線形増幅動作を遂行させるためのコードと、
前記少なくとも１つのコンピュータに前記増幅されたシングルトーン信号を送信させるためのコードと、
を備えるコンピュータ・プログラム・プロダクト。
［Ｃ１６］
通信デバイスであって、
マルチトーン信号に対して線形増幅動作を遂行する、
前記増幅されたマルチトーン信号を送信する、
シングルトーン信号に対して非線形増幅動作を遂行する、
前記増幅されたシングルトーン信号を送信する、ように構成された少なくとも１つのプロセッサと、
前記少なくとも１つのプロセッサに結合されたメモリと
を備える通信デバイス。
［Ｃ１７］
前記少なくとも１つのプロセッサは、前記マルチトーン信号よりも大きい送信電力を使用して、前記増幅されたシングルトーン信号を送信するように構成されている、Ｃ１６に記載の通信デバイス。
［Ｃ１８］
前記少なくとも１つのプロセッサは、線形増幅動作を遂行するように構成されていることの一部分として、第１の増幅器の線形増幅領域を使用して前記マルチトーン信号を増幅するように構成されている、Ｃ１６に記載の通信デバイス。
［Ｃ１９］
前記少なくとも１つのプロセッサは、非線形増幅動作を遂行するように構成されていることの一部分として、非線形増幅器である第２の増幅器を使用して前記シングルトーン信号を増幅するように構成されている、Ｃ１８に記載の通信デバイス。
［Ｃ２０］
前記少なくとも１つのプロセッサは、非線形増幅動作を遂行するように構成されていることの一部分として、前記第１の増幅器の非線形増幅領域を使用して前記シングルトーン信号を増幅するように構成されている、Ｃ１８に記載の通信デバイス。
【外国語明細書】
2014064288000001.pdf